(57)【要約】【課題】ゴルフクラブヘッドの形状調整後にも情報表示が可能な情報表示部を備えたゴルフクラブヘッドを提供すること。【解決手段】本ゴルフクラブヘッドは、ゴルフクラブヘッドに関する情報を表示する情報表示部を有し、前記情報表示部は、凹部により形成され、前記凹部には、ポリマーが配置され、前記凹部は、深さが３ｍｍ以上の部分を含む。【選択図】図２
2018196568.tif 000002
【特許請求の範囲】
【請求項１】
ゴルフクラブヘッドに関する情報を表示する情報表示部を有し、
前記情報表示部は、凹部により形成され、
前記凹部には、ポリマーが配置され、
前記凹部は、深さが３ｍｍ以上の部分を含むことを特徴とするゴルフクラブヘッド。
【請求項２】
前記ポリマーの材料は、ゴムまたは樹脂であることを特徴とする請求項１に記載のゴルフクラブヘッド。
【請求項３】
前記凹部はソール部に形成され、
前記凹部の深さは、フェース側よりもバック側の方が深いことを特徴とする請求項１または２に記載のゴルフクラブヘッド。
【請求項４】
前記凹部はソール部に形成され、
前記凹部の深さは、ヒール側よりもトウ側の方が深いことを特徴とする請求項１乃至３の何れか一項に記載のゴルフクラブヘッド。
【請求項５】
ゴルフクラブヘッドに関する情報を表示する情報表示部を有するゴルフクラブヘッドの製造方法であって、
前記情報表示部となる深さが３ｍｍ以上の部分を含む凹部が形成されたゴルフクラブヘッド素体を準備する工程と、
前記凹部にポリマーを配置し、前記凹部及び前記ポリマーにより前記情報表示部を形成する工程と、
前記情報表示部を形成する工程以降に、前記ゴルフクラブヘッド素体を研磨する工程を含む前記ゴルフクラブヘッド素体に仕上げ処理を行う工程と、を有することを特徴とするゴルフクラブヘッドの製造方法。
【発明の詳細な説明】
【技術分野】
【０００１】
本発明は、ゴルフクラブヘッド、ゴルフクラブヘッドの製造方法に関する。
【背景技術】
【０００２】
従来のゴルフクラブヘッドにおいて、ゴルフクラブヘッドに関する情報を表示する様々な構成の情報表示部が提案されている。しかしながら、ゴルフクラブヘッドの形状調整時（研磨等の実施時）の情報表示部の消失については考慮されていなかった。
【先行技術文献】
【特許文献】
【０００３】
【特許文献１】特開２００４−１９４９０９号公報
【特許文献２】特開平１０−１７９８２３号公報
【発明の概要】
【発明が解決しようとする課題】
【０００４】
本発明は、ゴルフクラブヘッドの形状調整後にも情報表示が可能な情報表示部を備えたゴルフクラブヘッドを提供することを目的とする。
【課題を解決するための手段】
【０００５】
本ゴルフクラブヘッドは、ゴルフクラブヘッドに関する情報を表示する情報表示部を有し、前記情報表示部は、凹部により形成され、前記凹部には、ポリマーが配置され、前記凹部は、深さが３ｍｍ以上の部分を含むことを要件とする。
【発明の効果】
【０００６】
開示の技術によれば、ゴルフクラブヘッドの形状調整後にも情報表示が可能な情報表示部を備えたゴルフクラブヘッドを提供できる。
【図面の簡単な説明】
【０００７】
【図１】第１の実施の形態に係るゴルフクラブヘッドを例示する図である。
【図２】第１の実施の形態に係る情報表示部について説明する図である。
【図３】第１の実施の形態に係るゴルフクラブヘッドの製造工程について説明する図である。
【図４】第１の実施の形態に係るゴルフクラブヘッドのソール部の研磨について説明する図である。
【図５】比較例１に係るゴルフクラブヘッドのソール部の研磨について説明する図である。
【図６】第２の実施の形態に係る情報表示部について説明する図である。
【図７】第２の実施の形態に係るゴルフクラブヘッドのソール部の研磨について説明する図である。
【図８】比較例２に係るゴルフクラブヘッドのソール部の研磨について説明する図である。
【図９】第３の実施の形態に係る情報表示部について説明する図である。
【図１０】第３の実施の形態に係るゴルフクラブヘッドのソール部の研磨について説明する図である。
【図１１】第４の実施の形態に係る情報表示部について説明する図である。
【図１２】第４の実施の形態に係るゴルフクラブヘッドのソール部の研磨について説明する図である。
【発明を実施するための形態】
【０００８】
以下、図面を参照して、実施の形態の説明を行う。なお、各図面において、同一構成部分には同一符号を付し、重複した説明を省略する場合がある。
【０００９】
〈第１の実施の形態〉
図１は、第１の実施の形態に係るゴルフクラブヘッドを例示する図であり、図１（ａ）は正面図、図１（ｂ）は平面図、図１（ｃ）は右側面図、図１（ｄ）は底面図である。
【００１０】
図１では、ゴルフクラブヘッド１をフェース面１１ｆ側から視た図を正面図としており、ゴルフクラブヘッド１を水平面（地面に相当）に基準のライ角及び基準のロフト角通りに接地した場合を図示している。また、矢印ｄ１はトウ−ヒール方向（左右方向）を、矢印ｄ２はトップ−ソール方向（上下方向）を、矢印ｄ３はフェース−バック方向（前後方向）を示している。
【００１１】
図１に示すゴルフクラブヘッド１は、アイアン型のゴルフクラブヘッドであり、フェース部１１と、バック部１２と、ソール部１３と、ホゼル部１５とを有している。ゴルフクラブヘッド１は、例えば、チタン合金、チタン、ステンレス、アルミニウム合金、軟鉄等の金属材料を用いて形成することができる。
【００１２】
フェース部１１は、打撃面となるフェース面１１ｆを備えている。なお、フェース部１１は所定の厚みを有しており、フェース面１１ｆはフェース部１１の外面をなしている。フェース面１１ｆには、トウ−ヒール方向を長手方向とする複数のスコアライン１１ｓ（フェース面１１ｆから窪む溝）が、所定間隔でトップ−ソール方向に配列されている。
【００１３】
バック部１２は、フェース部１１の裏面側に位置する部分である。ソール部１３は、ゴルフクラブヘッド１の底部を形成する部分である。ホゼル部１５は、シャフトと連結される部分である。ホゼル部１５は、ライ角やロフト角を調整する調整機構を備えていてもよい。
【００１４】
ソール部１３には情報表示部２０が設けられている。情報表示部２０は、ゴルフクラブヘッド１に関する情報、例えば、ロフト角、ライ角、バンス角等のゴルフクラブヘッド１の仕様に関する情報を表示する部分である。
【００１５】
図２は、第１の実施の形態に係る情報表示部について説明する図であり、図２（ａ）は情報表示部２０の視認に適した方向からゴルフクラブヘッド１を視た図、図２（ｂ）は図２（ａ）の情報表示部２０の拡大図、図２（ｃ）は図２（ａ）のＦ−Ｂ線に沿う部分拡大断面図、図２（ｄ）は図２（ａ）のＴ−Ｈ線に沿う部分拡大断面図である。
【００１６】
図２に示すように、情報表示部２０は、互いに独立した凹部２１及び２２が、フェース−バック方向に配置された構造である。凹部２１及び２２には、ポリマー７０が配置されている。ポリマー７０の凹部２１及び２２から露出する表面は、例えば、ソール部１３の表面と面一とすることができる。ポリマー７０の材料としては、例えば、ゴムまたは樹脂等からなる材料が挙げられる。ゴムとしては、例えば天然ゴム、ポリブタジエンゴム、スチレンブタジエンゴム、イソプレンゴム等が挙げられる。樹脂としては、例えばアイオノマー樹脂、ウレタン樹脂、ポリエステル樹脂、ポリアミド樹脂等が挙げられる。
【００１７】
情報表示部２０において、凹部２１は数字の「８」の形に形成された溝にポリマー７０が配置されたものであり、凹部２２は数字の「５」の形に形成された溝にポリマー７０が配置されたものであり、全体として数字の「５８」を表示している。但し、これは一例であり、情報表示部２０は、ポリマー７０が配置された少なくとも１つの凹部により形成され、数字やアルファベット等を表示するものであればよい。
【００１８】
従って、例えば、情報表示部２０は、ポリマー７０が配置された１つの凹部により一桁の数字や一文字のアルファベットを表示してもよいし、ポリマー７０が配置された２つ以上の凹部により二桁以上の数字や二文字以上のアルファベットを表示してもよい。
【００１９】
また、情報表示部２０は、ポリマー７０が配置された２つ以上の凹部により数字やアルファベットを適宜な個数組み合わせて表示してもよい。また、情報表示部２０が複数の文字や数字を表示する場合には、必ずしも一列に並べて凹部を配置する必要はなく、ランダムな位置に凹部を配置することができる。
【００２０】
凹部２１及び２２の側壁はソール部１３の表面に対して略垂直であり、凹部２１及び２２の底壁は各々の側壁に対して略垂直である。凹部２１及び２２の各々の深さＤ１は、３ｍｍ以上８ｍｍ以下である。凹部２１及び２２の各々の幅Ｗ１は、例えば、０．６ｍｍ以上５ｍｍ以下である。
【００２１】
図１及び図２に示すゴルフクラブヘッド１は、一次完成品である。一次完成品は、そのままでも通常のゴルフクラブヘッドとして使用可能である。しかし、例えば、ゴルフクラブヘッドの使用者（プロゴルファー等）からの要求により、一次完成品のソール部１３を研磨等で削り、ソール部１３の形状を調整して二次完成品とする場合がある。図３を参照して、二次完成品の完成までのゴルフクラブヘッド１の製造工程について説明する。
【００２２】
まず、ステップＳ１０１では、情報表示部２０となる凹部２１及び２２が形成されたゴルフクラブヘッド素体を準備する。具体的には、例えば、鋳造または鍛造によりゴルフクラブヘッド素体を作製し、ゴルフクラブヘッド素体に金型や機械加工等により情報表示部２０となる凹部２１及び２２を形成する。凹部２１及び２２は、各々の深さＤ１が３ｍｍ以上となるように形成される。
【００２３】
次に、ステップＳ１０２では、凹部２１及び２２内の処理（例えば、脱脂や洗浄等）を行う。次に、ステップＳ１０３では、凹部２１及び２２にポリマー７０を配置する。これにより、ゴルフクラブヘッド素体に、凹部２１及び２２並びにポリマー７０により、情報表示部２０が形成される。
【００２４】
凹部２１及び２２へのポリマー７０の配置は、例えば、ディスペンサ等を用いて液状のポリマーを凹部２１及び２２へ流し込み、加熱や紫外線照射等によりポリマーを硬化させることにより行うことができる。或いは、予め凹部２１及び２２の形状に合わせて成形された半硬化状態のポリマーを凹部２１及び２２へ嵌め込み、加熱や紫外線照射等によりポリマーを硬化させてもよい。或いは、凹部２１及び２２内に接着剤を塗布し、予め凹部２１及び２２の形状に合わせて成形された硬化状態のポリマーを凹部２１及び２２へ嵌め込み、接着剤を硬化させてもよい。
【００２５】
次に、ステップＳ１０４では、情報表示部２０が形成されたゴルフクラブヘッド素体に対し仕上げ処理を行う。仕上げ処理には、ゴルフクラブヘッド素体を研磨する工程が含まれる。これにより、ゴルフクラブヘッド１の一次完成品が作製される。
【００２６】
次に、ステップＳ１０５では、ソール部１３を研磨する。これにより、ゴルフクラブヘッド１の二次完成品が作製される。ステップＳ１０５は、ゴルフクラブヘッドの使用者（プロゴルファー等）からの要求により行われる工程である。
【００２７】
なお、従来のゴルフクラブヘッドでは、情報を表示するための凹部を形成し、研磨工程を含む仕上げ処理の工程を行った後、凹部にペンキを配置し、凹部からはみ出てしまったペンキの拭き取りをしていた。これは、凹部にペンキを配置した後に研磨工程を実行するとペンキが剥がれてしまうためである。
【００２８】
ゴルフクラブヘッド１では、凹部２１及び２２にポリマー７０を配置するが、ポリマー７０は研磨時に剥がれ難いため、凹部２１及び２２にポリマー７０を配置した後に研磨工程を実行することが可能となる。これは、製造上の工程が減る点で好適である。
【００２９】
図４は、第１の実施の形態に係るゴルフクラブヘッドのソール部の研磨について説明する図であり、ソール部１３がトウ−ヒール方向及びフェース−バック方向に略均一に研磨される場合を示している。
【００３０】
図４（ａ）は研磨前後のフェース−バック方向の断面を示しており、図４（ｂ）は研磨前後のトウ−ヒール方向の断面を示している。また、図４（ａ）及び図４（ｂ）において、矢印上側が研磨前を示し、矢印下側が研磨後を示している。また、「Ｐ」は、研磨される深さを示している。また、「Ｆ」は、研磨後の同じ高さの位置を示している。
【００３１】
図３のステップＳ１０４（一次完成品）では、凹部２１及び２２は図４（ａ）及び図４（ｂ）の矢印上側に示す状態となる。一方、図３のステップＳ１０５（二次完成品）では、凹部２１及び２２は研磨されて図４（ａ）及び図４（ｂ）の矢印下側に示す状態となる。
【００３２】
図５は、比較例１に係るゴルフクラブヘッドのソール部の研磨について説明する図であり、図４に対応する断面を示している。
【００３３】
図５に示す比較例１に係るゴルフクラブヘッド（従来のゴルフクラブヘッド）において、ゴルフクラブヘッドに関する情報を表示するために設けられる凹部２１０及び２２０は、図４に示す凹部２１及び２２の比較対象であり、凹部２１及び２２とは深さ違いである。具体的には、凹部２１０及び２２０は凹部２１及び２２よりも浅く、凹部２１０及び２２０の深さは１ｍｍ程度である。また、凹部２１０及び２２０には、ペンキ７００が配置されている。なお、凹部２１０及び２２０内にペンキ７００を配置すると、中央が窪んだ形状となる。
【００３４】
比較例１に示す凹部２１０及び２２０の深さは１ｍｍ程度であるため、図５（ａ）及び図５（ｂ）の矢印下側に示すように、ソール部１３の研磨等により、凹部２１０及び２２０が消失し、凹部２１０及び２２０による表示内容が正しく視認できなくなる。また、ペンキ７００は剥がれやすいため、仮に凹部２１０及び２２０の全てが消失しない場合でも、研磨時にペンキ７００が剥がれることで、凹部２１０及び２２０による表示内容が正しく視認できなくなる場合がある。
【００３５】
これに対して、ゴルフクラブヘッド１では、ソール部１３の形状を調整する際の研磨量が通常３ｍｍ未満であることを考慮し、情報表示部２０を構成する凹部２１及び２２の各々の深さＤ１を３ｍｍ以上としている。また、ゴルフクラブヘッド１では、凹部２１及び２２に、研磨時に剥がれ難いポリマー７０を配置している。
【００３６】
これにより、図４（ａ）及び図４（ｂ）の矢印下側に示すように、研磨後においても情報表示部２０を構成する凹部２１及び２２が消失せず、かつポリマー７０が剥がれないため、研磨後においても情報表示部２０による表示内容を正しく視認することができる。
【００３７】
〈第２の実施の形態〉
第２の実施の形態では、情報表示部の凹部の深さが場所により異なる例を示す。なお、第２の実施の形態において、既に説明した実施の形態と同一構成部についての説明は省略する場合がある。
【００３８】
図６は、第２の実施の形態に係る情報表示部について説明する図であり、図６（ａ）は情報表示部２０Ａの視認に適した方向からゴルフクラブヘッド１Ａを視た図、図６（ｂ）は情報表示部２０Ａの拡大図、図６（ｃ）は図６（ａ）のＦ−Ｂ線に沿う部分拡大断面図、図６（ｄ）は図６（ａ）のＴ−Ｈ線に沿う部分拡大断面図である。
【００３９】
図６に示すゴルフクラブヘッド１Ａは、情報表示部２０が情報表示部２０Ａに置換された点が、ゴルフクラブヘッド１（図２等参照）と相違する。
【００４０】
情報表示部２０Ａは、互いに独立した凹部２１Ａ及び２２Ａが、フェース−バック方向に配置された構造である。凹部２１Ａ及び２２Ａの側壁はソール部１３の表面に対して略垂直であり、凹部２１Ａ及び２２Ａの底壁は各々の側壁に対して略垂直である。凹部２１Ａ及び２２Ａには、ポリマー７０が配置されている。
【００４１】
但し、情報表示部２０では凹部２１と凹部２２の深さが同一であったのに対し、情報表示部２０Ａでは凹部２１Ａと凹部２２Ａの深さが異なっている。具体的には、フェース側の凹部２２Ａよりもバック側の凹部２１Ａの方が深く形成されている。
【００４２】
凹部２１Ａの深さＤ１は、３ｍｍ以上８ｍｍ以下である。凹部２２Ａの深さＤ２は、例えば、深さＤ１以下である。凹部２１Ａ及び２２Ａの各々の幅Ｗ１は、例えば、０．６ｍｍ以上５ｍｍ以下である。
【００４３】
図７は、第２の実施の形態に係るゴルフクラブヘッドのソール部の研磨について説明する図であり、ソール部１３がフェース側からバック側に傾斜するように研磨される場合を示している。
【００４４】
図７（ａ）は研磨前後のフェース−バック方向の断面を示しており、図７（ｂ）は研磨前後のトウ−ヒール方向の断面を示している。また、図７（ａ）及び図７（ｂ）において、矢印上側が研磨前を示し、矢印下側が研磨後を示している。また、「Ｐ」は、研磨される深さを示している。また、「Ｆ」は、研磨後の同じ高さの位置を示している。
【００４５】
図３のステップＳ１０４（一次完成品）では、凹部２１Ａ及び２２Ａは図７（ａ）及び図７（ｂ）の矢印上側に示す状態となる。一方、図３のステップＳ１０５（二次完成品）では、凹部２１Ａ及び２２Ａは研磨されて図７（ａ）及び図７（ｂ）の矢印下側に示す状態となる。
【００４６】
図８は、比較例２に係るゴルフクラブヘッドのソール部の研磨について説明する図であり、図７に対応する断面を示している。
【００４７】
図８に示す比較例２に係るゴルフクラブヘッド（従来のゴルフクラブヘッド）において、ゴルフクラブヘッドに関する情報を表示するために設けられる凹部２１０Ａ及び２２０Ａは、図７に示す凹部２１Ａ及び２２Ａの比較対象であり、凹部２１Ａ及び２２Ａとは深さ違いである。具体的には、凹部２１０Ａ及び２２０Ａは凹部２１Ａ及び２２Ａよりも浅い。また、凹部２１０Ａ及び２２０Ａは同一の深さ（１ｍｍ程度）である。また、凹部２１０Ａ及び２２０Ａには、ペンキ７００が配置されている。なお、凹部２１０Ａ及び２２０Ａ内にペンキ７００を配置すると、中央が窪んだ形状となる。
【００４８】
比較例２に示す凹部２１０Ａ及び２２０Ａの深さは１ｍｍ程度であるため、図８（ａ）及び図８（ｂ）の矢印下側に示すように、ソール部１３の研磨等により、凹部２２０Ａの極一部を除いて凹部２１０Ａ及び２２０Ａが消失し、凹部２１０Ａ及び２２０Ａによる表示内容が正しく視認できなくなる。また、ペンキ７００は剥がれやすいため、研磨後（矢印下側）の図８（ａ）では凹部２２０Ａ内のペンキが剥がれている。
【００４９】
これに対して、ゴルフクラブヘッド１Ａでは、ソール部１３の形状を調整する際の研磨量が通常３ｍｍ未満であることを考慮し、情報表示部２０Ａにおいて、より深く研磨されるバック側の凹部２１Ａの深さＤ１を３ｍｍ以上としている。また、ゴルフクラブヘッド１Ａでは、凹部２１Ａ及び２２Ａに、研磨時に剥がれ難いポリマー７０を配置している。
【００５０】
これにより、図７（ａ）及び図７（ｂ）の矢印下側に示すように、研磨後においても情報表示部２０Ａを構成する凹部２１Ａ及び２２Ａが消失せず、かつポリマー７０が剥がれないため、研磨後においても情報表示部２０Ａによる表示内容を正しく視認することができる。
【００５１】
ゴルフクラブヘッドの使用者からの要求には一定の傾向があり、フェース側よりもバック側の方が深くまで研磨される場合が多い。このような場合には、情報表示部２０Ａのように、フェース側の凹部２２Ａよりもバック側の凹部２１Ａの方を深く形成することで、凹部２２Ａを不要に深く形成して多くのポリマー７０を埋め込む必要がないため、製造効率を上げることができる。
【００５２】
〈第３の実施の形態〉
第３の実施の形態では、情報表示部の凹部の深さが場所により異なる他の例を示す。なお、第３の実施の形態において、既に説明した実施の形態と同一構成部についての説明は省略する場合がある。
【００５３】
図９は、第３の実施の形態に係る情報表示部について説明する図であり、図９（ａ）は情報表示部２０Ｂの視認に適した方向からゴルフクラブヘッド１Ｂを視た図、図９（ｂ）は情報表示部２０Ｂの拡大図、図９（ｃ）は図９（ａ）のＦ−Ｂ線に沿う部分拡大断面図、図９（ｄ）は図９（ａ）のＴ−Ｈ線に沿う部分拡大断面図である。
【００５４】
図９に示すゴルフクラブヘッド１Ｂは、情報表示部２０が情報表示部２０Ｂに置換された点が、ゴルフクラブヘッド１（図２等参照）と相違する。
【００５５】
情報表示部２０Ｂは、互いに独立した凹部２１Ｂ及び２２Ｂが、フェース−バック方向に配置された構造である。凹部２１Ｂ及び２２Ｂの側壁はソール部１３の表面に対して傾斜しており、凹部２１Ｂ及び２２Ｂの底壁は各々の側壁に対して略垂直である。凹部２１Ｂ及び２２Ｂには、ポリマー７０が配置されている。
【００５６】
但し、情報表示部２０では凹部２１と凹部２２の深さが同一であったのに対し、情報表示部２０Ｂでは凹部２１Ｂと凹部２２Ｂの深さが異なっている。具体的には、フェース側からバック側に行くに連れて、凹部２１Ｂ及び凹部２２Ｂの深さが深くなるように形成されている。
【００５７】
凹部２１Ｂの最も深い部分（最もバック側）の深さＤ１は、３ｍｍ以上８ｍｍ以下である。凹部２２Ｂの最も深い部分（最もバック側）の深さＤ２は、例えば、深さＤ１以下である。凹部２１Ｂ及び２２Ｂの各々の幅Ｗ１は、例えば、０．６ｍｍ以上５ｍｍ以下である。
【００５８】
図１０は、第３の実施の形態に係るゴルフクラブヘッドのソール部の研磨について説明する図であり、ソール部１３がフェース側からバック側に傾斜するように研磨される場合を示している。
【００５９】
図１０（ａ）は研磨前後のフェース−バック方向の断面を示しており、図１０（ｂ）は研磨前後のトウ−ヒール方向の断面を示している。また、図１０（ａ）及び図１０（ｂ）において、矢印上側が研磨前を示し、矢印下側が研磨後を示している。また、「Ｐ」は、研磨される深さを示している。また、「Ｆ」は、研磨後の同じ高さの位置を示している。
【００６０】
図３のステップＳ１０４（一次完成品）では、凹部２１Ｂ及び２２Ｂは図１０（ａ）及び図１０（ｂ）の矢印上側に示す状態となる。一方、図３のステップＳ１０５（二次完成品）では、凹部２１Ｂ及び２２Ｂは研磨されて図１０（ａ）及び図１０（ｂ）の矢印下側に示す状態となる。
【００６１】
ゴルフクラブヘッド１Ｂでは、ソール部１３の形状を調整する際の研磨量が通常３ｍｍ未満であることを考慮し、情報表示部２０Ｂにおいて、より深く研磨されるバック側の凹部２１Ｂの最も深い部分（最もバック側）の深さＤ１を３ｍｍ以上としている。また、ゴルフクラブヘッド１Ｂでは、凹部２１Ｂ及び２２Ｂに、研磨時に剥がれ難いポリマー７０を配置している。
【００６２】
これにより、図１０（ａ）及び図１０（ｂ）の矢印下側に示すように、研磨後においても情報表示部２０Ｂを構成する凹部２１Ｂ及び２２Ｂが消失せず、かつポリマー７０が剥がれないため、研磨後においても情報表示部２０Ｂによる表示内容を正しく視認することができる。
【００６３】
ゴルフクラブヘッドの使用者からの要求には一定の傾向があり、フェース側よりもバック側の方が深くまで研磨される場合が多い。このような場合には、情報表示部２０Ｂのように、フェース側の凹部２２Ｂよりもバック側の凹部２１Ｂの方を深く形成することで、凹部２２Ｂを不要に深く形成して多くのポリマー７０を埋め込む必要がないため、製造効率を上げることができる。また、凹部２１Ｂ及び２２Ｂの側壁をソール部１３の表面に対して傾斜させているため、透明または半透明のポリマー７０を使用した際に、凹部２１Ｂ及び２２Ｂが全体的に同等の深さを持つように視認することができる。
【００６４】
〈第４の実施の形態〉
第４の実施の形態では、情報表示部の凹部の深さが場所により異なる他の例を示す。なお、第４の実施の形態において、既に説明した実施の形態と同一構成部についての説明は省略する場合がある。
【００６５】
図１１は、第４の実施の形態に係る情報表示部について説明する図であり、図１１（ａ）は情報表示部２０Ｃの視認に適した方向からゴルフクラブヘッド１Ｃを視た図、図１１（ｂ）は情報表示部２０Ｃの拡大図、図１１（ｃ）は図１１（ａ）のＦ−Ｂ線に沿う部分拡大断面図、図１１（ｄ）は図１１（ａ）のＴ−Ｈ線に沿う部分拡大断面図である。
【００６６】
図１１に示すゴルフクラブヘッド１Ｃは、情報表示部２０が情報表示部２０Ｃに置換された点が、ゴルフクラブヘッド１（図２等参照）と相違する。
【００６７】
情報表示部２０Ｃは、互いに独立した凹部２１Ｃ及び２２Ｃが、フェース−バック方向に配置された構造である。凹部２１Ｃ及び２２Ｃの側壁は、ソール部１３の表面に対して略垂直である。凹部２１Ｃ及び２２Ｃの底壁は、各々の側壁に対して傾斜している。具体的には、凹部２１Ｃ及び２２Ｃは、ヒール側からトウ側に行くに連れて深くなるように形成されている。凹部２１Ｃ及び２２Ｃには、ポリマー７０が配置されている。
【００６８】
凹部２１Ｃ及び２２Ｃの最も深い部分（最もトウ側）の深さＤ１は、３ｍｍ以上８ｍｍ以下である。凹部２１Ｃ及び２２Ｃの最も浅い部分（最もヒール側）の深さＤ２は、例えば、深さＤ１以下である。凹部２１Ｃ及び２２Ｃの各々の幅Ｗ１は、例えば、０．６ｍｍ以上５ｍｍ以下である。
【００６９】
図１２は、第４の実施の形態に係るゴルフクラブヘッドのソール部の研磨について説明する図であり、ソール部１３がヒール側からトウ側に傾斜するように研磨される場合を示している。
【００７０】
図１２（ａ）は研磨前後のフェース−バック方向の断面を示しており、図１２（ｂ）は研磨前後のトウ−ヒール方向の断面を示している。また、図１２（ａ）及び図１２（ｂ）において、矢印上側が研磨前を示し、矢印下側が研磨後を示している。また、「Ｐ」は、研磨される深さを示している。また、「Ｆ」は、研磨後の同じ高さの位置を示している。
【００７１】
図３のステップＳ１０４（一次完成品）では、凹部２１Ｃ及び２２Ｃは図１２（ａ）及び図１２（ｂ）の矢印上側に示す状態となる。一方、図３のステップＳ１０５（二次完成品）では、凹部２１Ｃ及び２２Ｃは研磨されて図１２（ａ）及び図１２（ｂ）の矢印下側に示す状態となる。
【００７２】
ゴルフクラブヘッド１Ｃでは、ソール部１３の形状を調整する際の研磨量が通常３ｍｍ未満であることを考慮し、情報表示部２０Ｃにおいて、より深く研磨される凹部２１Ｃ及び２２Ｃの最もトウ側の深さＤ１を３ｍｍ以上としている。また、ゴルフクラブヘッド１Ｃでは、凹部２１Ｃ及び２２Ｃに、研磨時に剥がれ難いポリマー７０を配置している。
【００７３】
これにより、図１２（ａ）及び図１２（ｂ）の矢印下側に示すように、研磨後においても情報表示部２０Ｃを構成する凹部２１Ｃ及び２２Ｃが消失せず、かつポリマー７０が剥がれないため、研磨後においても情報表示部２０Ｃによる表示内容を正しく視認することができる。
【００７４】
ゴルフクラブヘッドの使用者からの要求には一定の傾向があり、ヒール側よりもトウ側の方が深くまで研磨される場合が多い。このような場合には、情報表示部２０Ｃのように、凹部２１Ｃ及び２２Ｃのトウ側をヒール側よりも深く形成することで、凹部２１Ｃ及び２２Ｃを不要に深く形成して多くのポリマー７０を埋め込む必要がないため、製造効率を上げることができる。
【００７５】
以上、好ましい実施の形態について詳説したが、上述した実施の形態に制限されることはなく、特許請求の範囲に記載された範囲を逸脱することなく、上述した実施の形態に種々の変形及び置換を加えることができる。
【００７６】
例えば、上記の実施の形態及び各変形例は適宜組み合わせることができる。例えば、情報表示部として、フェース側よりもバック側の方が深く、かつヒール側よりトウ側の方が深い凹部を設けてもよい。
【００７７】
また、情報表示部２０、２０Ａ、２０Ｂ、または２０Ｃをアイアン型以外のゴルフクラブヘッド（ウッド、パター等）に設けてもよい。
【符号の説明】
【００７８】
１、１Ａ、１Ｂ、１Ｃ  ゴルフクラブヘッド
１１  フェース部
１１ｆ  フェース面
１１ｓ  スコアライン
１２  バック部
１３  ソール部
１５  ホゼル部
２０、２０Ａ、２０Ｂ、２０Ｃ  情報表示部
２１、２１Ａ、２１Ｂ、２１Ｃ、２２、２２Ａ、２２Ｂ、２２Ｃ  凹部
７０  ポリマー
【図１】
2018196568.tif 000003
【図２】
2018196568.tif 000004
【図３】
2018196568.tif 000005
【図４】
2018196568.tif 000006
【図５】
2018196568.tif 000007
【図６】
2018196568.tif 000008
【図７】
2018196568.tif 000009
【図８】
2018196568.tif 000010
【図９】
2018196568.tif 000011
【図１０】
2018196568.tif 000012
【図１１】
2018196568.tif 000013
【図１２】
2018196568.tif 000014